(57)【要約】  本発明は、代用毛髪（２）が端部に埋め込まれてなる平坦な熱可塑性樹脂製の小板（１）で構成された毛髪接続部材を有している代用毛髪であって、頭部の毛髪（４）との確実な接続を保証するために、毛髪の方向に対して斜めに延びる少なくとも１つのリブ（３）が、前記小板（１）の２つの平坦な面のうちの一方から突き出している代用毛髪に関する。リブ（３）は、その根元において、ほぼ小板（１）の厚さ（ｄ）を有することができ、リブを、リブの自由端に向かって先細りにすることができる。リブ（３）の高さ（ｈ）は、好ましくは最大で毛髪の方向に延びた小板（１）の長手方向の延び（ｌ）に相当する。【選択図】図１
2015500404.tif 000002
【特許請求の範囲】
【請求項１】
代用毛髪（２）が端部に埋め込まれてなる平坦な小板（１）で構成された毛髪接続部材を有している代用毛髪であって、
少なくとも１つのリブ（３）が、前記小板（１）の２つの平坦な面のうちの一方から毛髪の方向に対して斜めに突き出していることを特徴とする、毛髪接続部材を有している代用毛髪。
【請求項２】
前記リブ（３）が、前記小板（１）とほぼ同じ根元厚さ（ｄ）を有しており、自由端に向かって先細りであることを特徴とする、請求項１に記載の毛髪接続部材を有している代用毛髪。
【請求項３】
前記リブ（３）の最大の高さ（ｈ）が、毛髪の方向における前記小板（１）の長手方向のサイズ（ｌ）に相当することを特徴とする、請求項１または２に記載の毛髪接続部材を有している代用毛髪。
【発明の詳細な説明】
【技術分野】
【０００１】
本発明は、代用毛髪が端部に埋め込まれてなる平坦な小板で構成された毛髪接続部材を有している代用毛髪に関する。
【背景技術】
【０００２】
端部において熱可塑性樹脂で作られた毛髪接続部材に埋め込まれている代用毛髪のきわめて多数の変種が、近年において市場に導入されている。熱可塑性樹脂製の毛髪接続部材の形状の範囲は、完全に平坦から、Ｕ字、Ｖ字、およびＣ字の形状を有するわずかに軒樋状の小板まで広がっている。さらに、縦方向および／または横方向のリブも有しているＵ字形の熱可塑性樹脂製の毛髪接続部材が、（例えば、オーストリア特許第４１２  １４１号に）開示されている。近年では、ブロック状の毛髪接続部材であって、すなわち矩形の角柱状の熱可塑性樹脂製の毛髪接続部材で基本的に構成されており、自由表面に起伏（波、さざ波）を有しており、この自由表面へと天然の毛が代用毛髪に接触して配置され、熱の印加とともに毛髪接続部材の本体へと押し込まれ、髪の接続が完了する毛髪接続部材が特許されている（オーストリア特許第５０４  １０２号）。
【０００３】
あらゆる熱可塑性樹脂製の毛髪接続部材の場合において、一方では、溶融による確実な接続部を実現するために、充分な熱可塑性材料を有する必要があるが、他方では、天然の毛への代用毛髪の接続を実質的に気付くことができないように、使用される材料を可能な限り少量にする必要がある。少ない材料を使用するまた、代用毛髪を天然の毛へと適用する際の作業を、可能な限り簡単に保つことも不可欠である。
【発明の概要】
【発明が解決しようとする課題】
【０００４】
上述の状況に対して、オーストリア特許第５０４  １０２号によるブロック状の毛髪接続部材が開発されたが、それでもなお、材料のコストが比較的高いという欠点を有している。本発明の目的は、髪の接続の確実性を損なうことなく、材料のコストを最小限にすることにある。
【課題を解決するための手段】
【０００５】
この目的は、従来技術による毛髪接続部材を有している代用毛髪において、少なくとも１つのリブを小板の２つの平坦な面のうちの一方から毛髪の方向に対して斜めに突出させることで達成される。
【０００６】
オーストリア特許第５０４  １０２号に開示の毛髪接続部材の好都合な改善は、角柱状の本体の代わりに、普通の平坦な薄い小板が、従来の小板と対照的に、代用毛髪を天然の毛髪へと接続するための材料を基本的に供給する毛髪の方向に対して斜めに突き出した少なくとも１つのリブを有している接続部材として機能する点にある。したがって、本発明による代用毛髪は、従来の小板状の接続部材によるこれまでの事例と比べて、天然の毛へとより確実に取り付けることが可能である。片面の起伏を有する従来技術のブロック状の毛髪接続部材と対照的に、本発明による接続部材は、体積がより小さいが、リブゆえの充分な接続材料を依然として有するという利点を有する。新規な特徴は、２つ以上の要素を互いの埋め込みによって接続することができる材料が存在しており、埋め込みおよび硬化が加熱プレスによって引き起こされるのではなく、むしろ例えば紫外線またはレーザ光によって引き起こされるため、毛髪接続部材がもはや熱可塑性である必要がない点にある。したがって、本発明の対象は、髪の延長または髪の増量の過程において使用され、代用毛髪の最初の埋め込みおよび天然の毛髪の埋め込みを保証する任意の毛髪接続材料へと広がる。
【０００７】
ただ１つのリブを、小板から突き出させることができるが、複数のリブを設けることも可能である。毛髪の方向に対するリブの角度は、９０°であってよく、すなわちリブを、毛髪の方向に対して垂直に向けることができるが、リブが小板の平坦な面の上方をほぼ斜めに延びるなど、別の角度であってもよい。リブの形状も、さまざまであってよい。最も単純な事例では矩形であってよいが、台形または蟻ほぞ状の形状も可能であり、すなわちリブが、小板へとつながる部位において自由端よりも厚く、あるいは薄い。リブの高さも、さまざまであってよく、すなわち毛髪の方向における長手方向の延在よりも低くても、高くてもよい。しかしながら、天然の毛髪の確実な埋め込みのための充分な材料が含まれることが、常に必要である。
【０００８】
実験にもとづき、毛髪接続部材および代用毛髪の端部の埋め込みの形成、ならびに代用毛髪の天然の毛への適用の両方において、リブがその根元において小板とほぼ同じ厚さを有し、自由端に向かって先細りである場合、最適となることが明らかになっている。同様に、リブの最大高さが、毛髪の方向における小板の長手方向のサイズに相当する場合が有利である。
【発明を実施するための形態】
【０００９】
本発明を、斜視図にて描かれた図１および図２に示されている好ましい典型的な実施形態によって、さらに詳しく説明する。
【００１０】
図１による毛髪接続部材を備える天然の毛髪が、代用毛髪２の端部が長手方向に埋め込まれた平坦なリブ１を有している。ただ１つのリブ３が、小板１の２つの平坦な面のうちの一方から毛髪の方向に対して垂直に、好ましくは小板１の縦長な面の中央付近において突き出している。図２が、２つのリブ２を有する実施形態を示しているが、さらに多くのリブを設けることも可能である。リブ２は、その根元に、厚さｄの小板１を有しており、リブの高さｈは、最大でも小板１の長さｌである。
【００１１】
代用毛髪２の天然の毛髪４への適用においては、後者がリブ３へと適用され、小板１からリブ３までで構成される毛髪接続部材のそれぞれの材料に応じて（熱可塑性樹脂製の毛髪接続部材の場合には、例えば高温の鉗子にて）、リブ３へと埋め込まれる。これにより、リブの材料が天然の毛髪の毛を囲み、確実な接続を形成する。
【図１】
2015500404.tif 000003
【図２】
2015500404.tif 000004
【手続補正書】
【提出日】平成26年8月12日(2014.8.12)
【手続補正１】
【補正対象書類名】明細書
【補正対象項目名】全文
【補正方法】変更
【補正の内容】
【発明の詳細な説明】
【技術分野】
【０００１】
本発明は、代用毛髪が端部に埋め込まれてなる平坦な小板で構成された毛髪接続部材を有している代用毛髪に関する。
【背景技術】
【０００２】
端部において熱可塑性樹脂で作られた毛髪接続部材に埋め込まれている代用毛髪のきわめて多数の変種が、近年において市場に導入されている。熱可塑性樹脂製の毛髪接続部材の形状の範囲は、完全に平坦から、Ｕ字、Ｖ字、およびＣ字の形状を有するわずかに軒樋状の小板まで広がっている。さらに、縦方向および／または横方向のリブも有しているＵ字形の熱可塑性樹脂製の毛髪接続部材が、（例えば、オーストリア特許第４１２  １４１号に）開示されている。近年では、ブロック状の毛髪接続部材であって、すなわち矩形の角柱状の熱可塑性樹脂製の毛髪接続部材で基本的に構成されており、自由表面に起伏（波、さざ波）を有しており、この自由表面へと天然の毛が代用毛髪に接触して配置され、熱の印加とともに毛髪接続部材の本体へと押し込まれ、髪の接続が完了する毛髪接続部材が特許されている（オーストリア特許第５０４  １０２号）。
【０００３】
あらゆる熱可塑性樹脂製の毛髪接続部材の場合において、一方では、溶融による確実な接続部を実現するために、充分な熱可塑性材料を有する必要があるが、他方では、天然の毛への代用毛髪の接続を実質的に気付くことができないように、使用される材料を可能な限り少量にする必要がある。少ない材料を使用するまた、代用毛髪を天然の毛へと適用する際の作業を、可能な限り簡単に保つことも不可欠である。
【発明の概要】
【発明が解決しようとする課題】
【０００４】
上述の状況に対して、オーストリア特許第５０４  １０２号によるブロック状の毛髪接続部材が開発されたが、それでもなお、材料のコストが比較的高いという欠点を有している。本発明の目的は、髪の接続の確実性を損なうことなく、材料のコストを最小限にすることにある。
【課題を解決するための手段】
【０００５】
この目的は、従来技術による毛髪接続部材を有している代用毛髪において、少なくとも１つのリブを小板の２つの平坦な面のうちの一方から毛髪の方向に対して斜めに突出させることで達成される。
【０００６】
オーストリア特許第５０４  １０２号に開示の毛髪接続部材の好都合な改善は、角柱状の本体の代わりに、普通の平坦な薄い小板が、従来の小板と対照的に、代用毛髪を天然の毛髪へと接続するための材料を基本的に供給する毛髪の方向に対して斜めに突き出した少なくとも１つのリブを有している接続部材として機能する点にある。したがって、本発明による代用毛髪は、従来の小板状の接続部材によるこれまでの事例と比べて、天然の毛へとより確実に取り付けることが可能である。片面の起伏を有する従来技術のブロック状の毛髪接続部材と対照的に、本発明による接続部材は、体積がより小さいが、リブゆえの充分な接続材料を依然として有するという利点を有する。新規な特徴は、２つ以上の要素を互いの埋め込みによって接続することができる材料が存在しており、埋め込みおよび硬化が加熱プレスによって引き起こされるのではなく、むしろ例えば紫外線またはレーザ光によって引き起こされるため、毛髪接続部材がもはや熱可塑性である必要がない点にある。したがって、本発明の対象は、髪の延長または髪の増量の過程において使用され、代用毛髪の最初の埋め込みおよび天然の毛髪の埋め込みを保証する任意の毛髪接続材料へと広がる。
【０００７】
ただ１つのリブを、小板から突き出させることができるが、複数のリブを設けることも可能である。毛髪の方向に対するリブの角度は、９０°であってよく、すなわちリブを、毛髪の方向に対して垂直に向けることができるが、リブが小板の平坦な面の上方をほぼ斜めに延びるなど、別の角度であってもよい。リブの形状も、さまざまであってよい。最も単純な事例では矩形であってよいが、台形または蟻ほぞ状の形状も可能であり、すなわちリブが、小板へとつながる部位において自由端よりも厚く、あるいは薄い。リブの高さも、さまざまであってよく、すなわち毛髪の方向における長手方向の延在よりも低くても、高くてもよい。しかしながら、天然の毛髪の確実な埋め込みのための充分な材料が含まれることが、常に必要である。
【０００８】
実験にもとづき、毛髪接続部材および代用毛髪の端部の埋め込みの形成、ならびに代用毛髪の天然の毛への適用の両方において、リブがその根元において小板とほぼ同じ厚さを有し、自由端に向かって先細りである場合、最適となることが明らかになっている。同様に、リブの最大高さが、毛髪の方向における小板の長手方向のサイズに相当する場合が有利である。
【発明を実施するための形態】
【０００９】
本発明を、斜視図にて描かれた図１および図２に示されている好ましい典型的な実施形態によって、さらに詳しく説明する。
【００１０】
図１による毛髪接続部材を備える天然の毛髪が、代用毛髪２の端部が長手方向に埋め込まれた平坦な小板１を有している。ただ１つのリブ３が、小板１の２つの平坦な面のうちの一方から毛髪の方向に対して垂直に、好ましくは小板１の縦長な面の中央付近において突き出している。図２が、２つのリブ３を有する実施形態を示しているが、さらに多くのリブを設けることも可能である。リブ３の根元の厚さは、小板１の厚さｄとおおよそ同じであり、リブの高さｈは、最大でも小板１の長さｌである。
【００１１】
代用毛髪２の天然の毛髪４への適用においては、後者がリブ３へと適用され、小板１からリブ３までで構成される毛髪接続部材のそれぞれの材料に応じて（熱可塑性樹脂製の毛髪接続部材の場合には、例えば高温の鉗子にて）、リブ３へと埋め込まれる。これにより、リブの材料が天然の毛髪の毛４を囲み、確実な接続を形成する。
【国際調査報告】
2015500404.tif 000005
2015500404.tif 000006
2015500404.tif 000007
2015500404.tif 000008